(57)【要約】【課題】下水、生活排水、し尿、産業廃水などの廃水を、生物学的に脱窒・脱リンする廃水処理において、効率的な有機物、窒素及びリン除去を行って、高水質の処理水を得ることができる廃水処理装置及び廃水処理方法を提供する。【解決手段】廃水を、活性汚泥の存在下で、嫌気槽、好気槽、無酸素槽の順に供給し、好気槽の活性汚泥混合液の一部を嫌気槽に供給し、無酸素槽の活性汚泥混合液の一部を嫌気槽及び好気槽に供給し、好気槽に備えたろ過膜により処理水を分離する。【選択図】図１
2006007137.tif 000002
【特許請求の範囲】
【請求項１】
廃水の供給側から嫌気槽と、好気槽と、無酸素槽とをこの順で備え、好気槽にろ過膜を備え、嫌気槽に、廃水を供給する配管と、好気槽からの活性汚泥混合液を供給する配管と、無酸素槽からの活性汚泥混合液を供給する配管とを備え、好気槽に無酸素槽からの活性汚泥混合液を供給する配管を備えたことを特徴とする廃水処理装置。
【請求項２】
廃水を、活性汚泥の存在下で、嫌気槽、好気槽、無酸素槽の順に供給し、好気槽の活性汚泥混合液の一部を嫌気槽に供給し、無酸素槽の活性汚泥混合液の一部を嫌気槽及び好気槽に供給し、好気槽に備えたろ過膜により処理水を分離する廃水処理方法。
【発明の詳細な説明】
【技術分野】
【０００１】
本発明は廃水処理装置及び廃水処理方法に関し、特に好気槽中に浸漬したろ過膜を用いて処理水を分離する廃水処理装置及び廃水処理方法に関する。
【背景技術】
【０００２】
従来、廃水中の有機物、窒素及びリンを同時に除去する方法として、例えば特許文献１に記載されているように、廃水を嫌気槽、無酸素槽（脱窒槽）、好気槽（曝気槽）の順に通水し、好気槽内に浸漬したろ過膜によって処理水を分離し、好気槽の活性汚泥混合液の一部を無酸素槽に返送し、無酸素槽の活性汚泥混合液の一部を嫌気槽に返送する方法が知られている。この方法によれば、嫌気槽では、無酸素、無ＮＯｘ条件下で廃水中の有機物が活性汚泥に取り込まれると同時に、活性汚泥中のリンが放出される。無酸素槽では、有機物の存在下で硝酸性窒素が、脱窒菌の作用により還元されて窒素ガスとなる脱窒処理が進行する。好気槽では、硝化菌による廃水中のアンモニア態窒素の硝化と、活性汚泥中へのリンの取り込みが行われる。好気槽での硝化反応により生成した硝酸性窒素を脱窒処理するために、好気槽の混合液を、前段の無酸素槽に循環させる。また、嫌気槽で十分なリン放出を行うために、嫌気槽の活性汚泥濃度（ＭＬＳＳ）は十分高くする必要がある。このため、無酸素槽の混合液を、前段の好気槽に循環させている。
【０００３】
しかしながらこの方法では、嫌気槽から無酸素槽に通水しているために、嫌気槽のアンモニア態窒素が無酸素槽に流入し、このアンモニア態窒素が、無酸素槽で脱窒菌の還元反応を阻害し、硝酸性窒素が窒素ガスとなる脱窒処理を阻害するという問題があった。
【０００４】
一方、この課題を解決するために、例えば特許文献２に記載されているように、廃水を嫌気槽、好気槽の順に通水し、好気槽では内部に浸漬したろ過膜により処理水と活性汚泥混合液とに分離し、分離した活性汚泥混合液の余剰汚泥分以外の全量を、水素供与体が添加される無酸素槽で所定時間滞留させた後に、嫌気槽に供給する方法が知られている。
【０００５】
しかしながら上記の方法では、嫌気槽に供給される活性汚泥混合液は、無酸素槽からのもののみであり、廃水が供給されることで薄まる嫌気槽のＭＬＳＳを十分高く保つことが困難であった。このため、嫌気槽で十分なリン放出を行うことが困難であり、リン除去率を高めることが困難であった。
【特許文献１】特開２００１−３１４８９０号公報（[０００８]〜[０００９]段落）
【特許文献２】特開２００４−８９９５６号公報（[０００５]段落）
【発明の開示】
【発明が解決しようとする課題】
【０００６】
本発明の目的は、上記従来技術の問題点を解決し、効率的な有機物、窒素及びリン除去を行って、高水質の処理水を得ることができる廃水処理装置及び廃水処理方法を提供することにある。
【課題を解決するための手段】
【０００７】
上記の課題を解決するため、本発明は以下の構成を採用するものである。すなわち、
（１）廃水の供給側から嫌気槽と、好気槽と、無酸素槽とをこの順で備え、好気槽にろ過膜を備え、嫌気槽に、廃水を供給する配管と、好気槽からの活性汚泥混合液を供給する配管と、無酸素槽からの活性汚泥混合液を供給する配管とを備え、好気槽に、無酸素槽からの活性汚泥混合液を供給する配管を備えたことを特徴とする廃水処理装置。
【０００８】
（２）廃水を、活性汚泥の存在下で、嫌気槽、好気槽、無酸素槽の順に供給し、好気槽の活性汚泥混合液の一部を嫌気槽に供給し、無酸素槽の活性汚泥混合液の一部を嫌気槽及び好気槽に供給し、好気槽に備えたろ過膜により処理水を分離する廃水処理方法。
【発明の効果】
【０００９】
本発明によれば、好気槽中に浸漬したろ過膜を用いて処理水を分離する廃水処理装置及び廃水処理方法において、効率的な有機物、窒素及びリン除去を行って、高水質の処理水を提供することができる。
【発明を実施するための最良の形態】
【００１０】
以下、本発明における廃水処理装置を、図１に示す実施態様に基づいて説明する。
【００１１】
図１は、本発明に係る廃水処理装置の一実施態様を示す概略フロー図である。
【００１２】
図１に示す廃水処理装置は、廃水の供給側から嫌気槽１と、好気槽２と、無酸素槽３とを、この順序で備えている。好気槽２には、ろ過膜４を備えている。廃水５は、嫌気槽１に備えられた配管６によって嫌気槽１に供給され、ろ過膜４によって膜分離された処理水７は、ろ過膜４の透過側から得られる。
【００１３】
嫌気槽１、好気槽２、無酸素槽３は、廃水および活性汚泥混合液を貯えることができれば特に問題はなく、コンクリート槽、繊維強化プラスチック槽などが好ましく用いられる。図１に示すように、嫌気槽１と、好気槽２と、無酸素槽３とを、この順序で備えているため、嫌気槽１から好気槽２、好気槽２から無酸素槽３への活性汚泥混合液の供給が容易となる。かかる活性汚泥混合液の供給方法としては、ポンプ等の用いて流量を制御しながらそれぞれ供給する方法や、オーバーフローすることにより次の槽へ供給する方法などが例示されるが、オーバーフローによる方法が、必要とされる電気エネルギーを削減できるので好ましい。
【００１４】
ろ過膜４は、ろ過膜の取り扱い性や物理的耐久性を向上させるために、たとえばフレームの両面に濾過水流路材を挟んで濾過膜を接着した平膜エレメント構造をしている。この構造は特に限定されるものではなく、中空糸膜を用いたエレメントであってもかまわないが、平膜エレメント構造は、膜面に平行な流速を与えた場合の剪断力による汚れの除去効果が高いことから、本発明に好適に用いられる。なお、本発明において、前記平膜エレメント構造には、回転平膜構造も含まれる。
【００１５】
ろ過膜４の膜構造としては、多孔質膜や、多孔質膜に機能層を複合化した複合膜などが挙げられるが、特に限定されるものではない。これらの膜の具体例としては、ポリアクリロニトリル多孔質膜、ポリイミド多孔質膜、ポリエーテルスルホン多孔質膜、ポリフェニレンスルフィドスルホン多孔質膜、ポリテトラフルオロエチレン多孔質膜、ポリフッ化ビニリデン多孔質膜、ポリプロピレン多孔質膜、ポリエチレン多孔質膜等の多孔質膜が挙げられるが、ポリフッ化ビニリデン多孔質膜やポリテトラフルオロエチレン多孔質膜が耐薬品性が高いため、特に好ましい。さらに、これら多孔質膜に機能層として架橋型シリコーン、ポリブタジエン、ポリアクリロニトリルブタジエン、エチレンプロピレンラバー、ネオプレンゴム等のゴム状高分子を複合化した複合膜を挙げることができる。
【００１６】
ろ過膜４の種類としては、活性汚泥混合液から処理水を膜分離できるほど小さい細孔を有していれば特に問題はないが、あまりに細孔径が小さすぎてもろ過圧力が高くなりすぎて好ましくはなく、マイクロフィルトレーション（ＭＦ）膜や、ウルトラフィルトレーション（ＵＦ）膜などが好ましく用いられる。
【００１７】
嫌気槽１には、好気槽２からの活性汚泥混合液を供給する配管８が備えられている。配管８の上流部には、好気槽２の活性汚泥混合液を供給するポンプ９が設けられている。ポンプ９は、好気槽２の活性汚泥混合液中に浸漬されていても、好気槽２の外部に設けられていても、特に問題はない。
【００１８】
また嫌気槽１には、無酸素槽３からの活性汚泥混合液を供給する配管１０が備えられている。配管１０の上流部には、無酸素槽３の活性汚泥混合液を供給するポンプ１１が設けられている。ポンプ１１は、無酸素槽３の活性汚泥混合液中に浸漬されていても、無酸素槽３の外部に設けられていても、特に問題はない。
【００１９】
ポンプ９、ポンプ１１およびその他活性汚泥混合液を供給するポンプは、活性汚泥混合液を加圧することができれば特に制限されるものではなく、遠心ポンプ、渦巻ポンプ、ディフューザーポンプ、渦巻斜流ポンプ、斜流ポンプ、ピストンポンプ、プランジャポンプ、ダイアフラムポンプ、歯車ポンプ、スクリューポンプ、ベーンポンプ、カスケードポンプ、ジェットポンプなどを用いることができるが、固形分が詰まりにくい点から、遠心ポンプ、渦巻ポンプ、渦巻斜流ポンプ、斜流ポンプ、歯車ポンプ、スクリューポンプ、ジェットポンプなどが好ましい。
【００２０】
好気槽２には、無酸素槽３からの活性汚泥混合液を供給する配管１２が備えられている。配管１２の上流部には、無酸素槽３の活性汚泥混合液を供給するポンプ１１が設けられている。このポンプ１１は、上記で説明した無酸素槽３からの活性汚泥混合液を嫌気槽１に供給するポンプと共用でも構わないし、別（図示しない）に設けていても構わない。共用の場合には、配管１２は配管１０から分岐させ、配管１０、配管１２それぞれに流量調整弁１３、１４を設けることで、無酸素槽３から嫌気槽１、好気槽２に供給する活性汚泥混合液の供給比を任意に制御することができる。流量調整弁は、活性汚泥混合液の流量を調整することができれば特に問題はなく、仕切弁、玉形弁、ボール弁などが好ましく用いられる。
【００２１】
また配管８に流量調整弁を設けることも、好ましく用いられる。
【００２２】
さらに好気槽２には、ろ過膜４の下部に散気管１５が設けられ、散気管１５の上流部には、散気管１５に空気を供給するためのブロワ１６が設けられる。散気管１５は、好気槽２内に空気を供給できれば特に問題はなく、管に１〜１０ｍｍ径程度の穴を多数設けたものや、管の周りに弾性体を巻き付け、弾性体にスリットを多数設け、空気圧で弾性体がふくらむことによって、スリットから微細な気泡が多数発生できるようにしたものなどが、好ましく用いられる。散気管１５は、複数種類のものを複数本設け、切り換えながら使用しても構わないし、流量を調節しながら使用しても構わない。
【００２３】
また、嫌気槽１、無酸素槽３には、槽内の活性汚泥混合液をかくはんするためのかくはん装置を設けることも、好ましく用いられる。かくはん装置としては、スクリュー、ブロワ、ポンプなど、活性汚泥混合液に流れを与えることができるものであれば、特に問題なく用いることができる。ポンプとしては、遠心ポンプ、渦巻ポンプ、ディフューザーポンプ、渦巻斜流ポンプ、斜流ポンプ、ピストンポンプ、プランジャポンプ、ダイアフラムポンプ、歯車ポンプ、スクリューポンプ、ベーンポンプ、カスケードポンプ、ジェットポンプなどを用いることができるが、固形分が詰まりにくい点から、遠心ポンプ、渦巻ポンプ、渦巻斜流ポンプ、斜流ポンプ、歯車ポンプ、スクリューポンプ、ジェットポンプなどが好ましい。
【００２４】
上述の廃水処理装置において、廃水処理方法は次のように行われる。すなわち、嫌気槽１には、配管６を用いて廃水５が供給され、配管８を用いて好気槽２からの活性汚泥混合液の一部が供給され、配管１０を用いて無酸素槽３からの活性汚泥混合液の一部が供給される。供給された廃水および活性汚泥混合液は、嫌気状態に保たれる。嫌気状態とは、液中に溶存する遊離酸素が実質的にゼロであり、かつ硝酸性窒素も実質的に存在しない状態を意味する。この嫌気状態では、流入した廃水中の有機物が活性汚泥に取り込まれるとともに、活性汚泥は体内に過剰蓄積していたリンを体外に放出する。好気槽２からの高濃度の活性汚泥混合液も供給することで、嫌気槽１のＭＬＳＳを高く保つことができ、十分なリン放出を行うことができる。嫌気槽１内のＭＬＳＳとしては、６，５００ｍｇ／Ｌ以上に保つことが、十分なリン放出を行うという点で好ましい。好気槽２から嫌気槽１へ供給される活性汚泥混合液の供給量は、上記嫌気槽１のＭＬＳＳを保つために、廃水供給量の１０％以上であることが好ましい。また、無酸素槽３から嫌気槽１へ供給される活性汚泥混合液の供給量は、上記嫌気槽１の嫌気状態を保つために、廃水供給量の１０％以上であることが好ましい。
【００２５】
嫌気槽１の活性汚泥混合液は、オーバーフローすることにより好気槽２へ供給される。好気槽２にはその他に、配管１２を用いて無酸素槽３からの活性汚泥混合液の一部が供給される。供給された活性汚泥混合液は、散気管１５から供給される空気によって、好気状態に保たれる。好気状態とは、活性汚泥中の硝化菌などの好気性菌が、活発に呼吸するための遊離酸素が液中に十分に溶存している状態を意味する。散気管１５から供給する空気は、好気槽２内に活性汚泥混合液の旋回流を生じさせ、ろ過膜４の膜面に付着する汚泥を洗い流し、ろ過膜４のろ過性を高く保つ効果も併せて付与する。好気槽２では、活性汚泥混合液中に残存する有機物が、活性汚泥により酸化分解される。また、活性汚泥体外のリンが、活性汚泥体内に過剰に蓄積される。さらに、活性汚泥混合液中のアンモニア態窒素が、活性汚泥中の硝化菌の作用によって硝化され、硝酸性窒素となる。また、活性汚泥混合液は、ろ過膜４によって膜分離され、処理水７は系外に排出される。処理水７が系外に排出されることにより濃縮された活性汚泥混合液は、上記のように配管８を用いて嫌気槽１に供給されるほか、オーバーフローすることにより無酸素槽３に供給される。
【００２６】
無酸素槽３では、好気槽２からオーバーフローした活性汚泥混合液のみが供給され、無酸素状態に保たれる。無酸素状態とは、液中に溶存する遊離酸素が実質的にゼロに近いが、脱窒反応の際に脱窒菌の呼吸作用に必要な酸素源としての硝酸性窒素が供給されている状態を意味する。無酸素槽３では、活性汚泥中に存在する脱窒菌が活発に呼吸し、活性汚泥混合液中の溶存酸素を直ちに消費するとともに、硝酸性窒素を電子受容体とした硝酸呼吸である脱窒反応が進行する。その結果、硝酸性窒素は還元されて窒素ガスとなり、大気中に放散される。無酸素槽３には好気槽２で濃縮された活性汚泥混合液のみが供給されるため、ＭＬＳＳを高く保つことができ、十分な脱窒反応を行うことができる。さらに、嫌気槽１からアンモニア態窒素が無酸素槽３に流入することがないので、このアンモニア態窒素が無酸素槽３で脱窒菌の還元反応を阻害することがなく、十分な脱窒反応を行う事ができる。無酸素槽３で十分に脱窒された活性汚泥混合液の一部は、配管１０を用いて嫌気槽１に、また配管１２を用いて好気槽２に供給・循環される。無酸素槽３から好気槽２へ供給される活性汚泥混合液の供給量は、上記硝酸性窒素が窒素ガスに還元される反応を十分に行うために、廃水供給量の５０％以上であることが好ましい。
【００２７】
上述の廃水処理方法により、効率的な有機物、窒素及びリン除去を行って、高水質の処理水を提供することができる。
【００２８】
また、図示はしないが余剰汚泥は、嫌気槽１、好気槽２、無酸素槽３のいずれから引き抜くことも可能であり、この引き抜き量を制御することにより、系内のＭＬＳＳを制御することが可能である。
【００２９】
さらに、好気槽２から嫌気槽１に、無酸素槽３から嫌気槽１に、及び無酸素槽３から好気槽２に供給する活性汚泥混合液の量を適宜調整することにより、有機物、窒素及びリンの除去率を高く保ち、高水質処理水の提供を維持することが可能となる。
【００３０】
また、嫌気槽１、好気槽２、無酸素槽３に関わらず、凝集剤を添加することも、処理水質を高めることで、好ましく用いることができる。
【００３１】
さらに、さらに上記の方法によって得られた処理水７を、ナノフィルトレーション（ＮＦ）膜や逆浸透（ＲＯ）膜を用いてろ過し、工業用水や生活用水、飲料水などとして再利用することも好ましい実施態様である。
【実施例】
【００３２】
（実施例１）
ポリエステル不織布にポリフッ化ビニリデン膜がコーティングされた複合平膜（細孔径０．１μｍ、厚さ２００μｍ、初期純水透過性能４×１０−８ｍ３／ｍ２ ／ｓ／Ｐａ）をフレームの両面に貼り付けたろ過膜４（有効膜部分：縦２７５ｍｍ、幅２００ｍｍ、有効膜面積０．１１ｍ２）１０枚を、図１に示す嫌気槽１（１２５Ｌ）、好気槽２（１２５Ｌ）、無酸素槽３（１２５Ｌ）をこの順で備えた廃水処理装置の好気槽２に浸漬した。廃水５として、グルコース０．１ｇ／Ｌ、ペプトン０．１ｇ／Ｌ、リン酸水素二カリウム７．８ｍｇ／Ｌ、リン酸一カリウム３．９ｍｇ／Ｌからなる人工下水（生物学的酸素要求量（ＢＯＤ）１６０ｍｇ／Ｌ、全窒素濃度１３．６ｍｇ／Ｌ、全リン濃度２．３ｍｇ／Ｌ）を５５０Ｌ／日の割合で嫌気槽１に供給した。好気槽２に浸漬した水中ポンプ９と、配管８とを用い、好気槽２の活性汚泥混合液を、５５０Ｌ／日の割合で嫌気槽１に供給した。散気管１５からは、２００Ｌ／分の割合で空気を供給した。無酸素槽３に浸漬した水中ポンプ１１と、配管１０及び１２と、流量調整弁１３及び１４とを用い、無酸素槽３の活性汚泥混合液を、５５０Ｌ／日の割合で嫌気槽１に、１１００Ｌ／日の割合で好気槽２に供給した。ろ過膜４により、好気槽２内の活性汚泥混合液を５５０Ｌ／日の割合でろ過し、処理水７を得た。各槽のＭＬＳＳを表１に示し、処理水７の水質を表２に示す。
【００３３】
（比較例１）
実施例１と同じろ過膜４を１０枚、図２に示す嫌気槽１（１２５Ｌ）、無酸素槽３（１２５Ｌ）、好気槽２（１２５Ｌ）をこの順で備えた廃水処理装置の好気槽２に浸漬した。実施例１と同じ廃水５を、５５０Ｌ／日の割合で嫌気槽１に供給した。無酸素槽３に浸漬した水中ポンプ９と、配管８とを用い、無酸素槽３の活性汚泥混合液を、１１００Ｌ／日の割合で嫌気槽１に供給した。好気槽２に浸漬した水中ポンプ１１と、配管８とを用い、好気槽２の活性汚泥混合液を、１６５０Ｌ／日の割合で無酸素槽３に供給した。散気管１５からは、２００Ｌ／分の割合で空気を供給した。ろ過膜４により、好気槽２内の活性汚泥混合液を５５０Ｌ／日の割合でろ過し、処理水７を得た。各槽のＭＬＳＳを表１に示し、処理水７の水質を表２に示す。
【００３４】
（比較例２）
実施例１において、好気槽２の活性汚泥混合液を、嫌気槽１に供給しなかったこと以外は同様にして処理を行った。各槽のＭＬＳＳを表１に示し、処理水７の水質を表２に示す。
【００３５】
【表１】
2006007137.tif 000003
【００３６】
【表２】
2006007137.tif 000004
【００３７】
表１、２より明らかなように、実施例１は比較例１に比べ、特に全窒素除去性が良好で高水質な処理水７を得ることができた。これは、アンモニア態窒素が無酸素槽３に流入することがなく、このアンモニア態窒素が無酸素槽３で脱窒菌の還元反応を阻害することがなく、硝酸性窒素が窒素ガスとなる脱窒処理が阻害されなかったためと考えられる。また、実施例１は比較例２に比べ、特にリン除去性が良好で高水質な処理水７を得ることができた。これは、嫌気槽１のＭＬＳＳが高く、嫌気槽１で十分なリン放出を行うことができたためと考えられる。
【産業上の利用可能性】
【００３８】
本発明は、下水、生活排水、し尿、産業廃水などの廃水を、生物学的に脱窒・脱リンする廃水処理方法に好適に利用することができるものである。
【図面の簡単な説明】
【００３９】
【図１】本発明に係る廃水処理装置の一実施態様を示す概略フロー図である。
【図２】比較例１で使用した廃水処理装置の概略フロー図である。
【符号の説明】
【００４０】
１：嫌気槽
２：好気槽
３：無酸素槽
４：ろ過膜
５：廃水
６：配管
７：処理水
８：配管
９：ポンプ
１０：配管
１１：ポンプ
１２：配管
１３：流量調整弁
１４：流量調整弁
１５：散気管
１６：ブロワ
【図１】
2006007137.tif 000005
【図２】
2006007137.tif 000006